(57)【特許請求の範囲】
【請求項１】
ブローチ本体の一面の一端側の位置に、針状の係止片の後端を上下方向に回転自在に軸支し、当該ブローチ本体の一面の他端側の位置に当該係止片の先端を係止する係止受体を設け、衣服の一部に通した上記係止片を当該係止受体で係止して衣服に付けるブローチ兼用ペンダント止め金具において、
上記ブローチ本体の一面の一端側に、先端を上記係止受体方向に略直角に折り曲げた細巾の支持片を設け、当該支持片の先端で、針状の係止片の後端を上下方向に回転自在に軸支し、当該係止片の軸支部付近から脚を上記ブローチ本体の一面に向けて突出させ、上記支持片とブローチ本体の一面の一端側によって囲まれた空間を鎖挿通部とし、
当該支持片の鎖挿通部にペンダント用の鎖を通し、上記係止片の先端を、当該ブローチ本体の一面の他端側の位置に設けた係止受体で係止した際、当該係止片の脚の下端は、上記ブローチ本体の一面に当接又は近接して上記鎖挿通部が閉鎖されてペンダント用の鎖がこの鎖挿通部から外れない構成としたことを特徴とする、ブローチ兼用ペンダント止め金具。
【請求項２】
上記支持片の後端を、当該支持片の折り曲げられた先端と略同じ方向に延伸して基板を構成し、当該基板と支持片によって上記鎖挿通部を形成し、上記係止片の軸支部付近から伸びた脚が上記基板面に当接又は近接して上記鎖挿通部を閉鎖することを特徴とした、上記請求項１に記載のブローチ兼用ペンダント止め金具。
【請求項３】
ブローチ本体に取り付ける基板の一面の一端側の位置に、針状の係止片の後端を上下方向に回転自在に軸支し、上記基板の他端側の位置に当該係止片の先端を係止する係止受体を設け、衣服の一部に通した上記係止片を当該係止受体で係止して衣服に付けるブローチ兼用ペンダント止め金具において、
上記基板の一面の一端縁の位置に、水平な基板を固定し、その基板の先端を側面弧状に折り曲げた支持片を設け、当該支持片の先端に、側面弧状の係止基片の一端を上下方向に回転自在に軸支して他端を上記支持片に当接自在に設け、当該支持片と係止基片とによって環状体を形成し、その内側空間を鎖挿通部とし、上記係止基片から上記係止受体に向けて針状の係止部を設け、
上記鎖挿通部にペンダント用の鎖を通し、上記係止片の先端を上記係止受体で係止した際、当該鎖挿通部が上記係止基片によって閉鎖されて当該ペンダント用の鎖が当該鎖挿通部から外れない構成としたことを特徴とする、ブローチ兼用ペンダント止め金具。
【請求項４】
上記支持片とブローチ本体の一面又は支持片の基板上によって形成された鎖挿通部を閉じる、上記係止片の軸支部付近から伸びた脚の下端が、上記ブローチ本体の一面上又は支持片の基板面上に当接又は近接する位置のブローチ本体の一面又は支持片の基板上に、当該脚の下端を係止するストッパーを設けたことを特徴とする、上記請求項１乃至３の何れかに記載のブローチ兼用ペンダント止め金具。
【発明の詳細な説明】
【技術分野】
【０００１】
この発明は、ブローチに取り付けることにより、当該ブローチをペンダントとしても使用出来る、ブローチ兼用ペンダント止め金具に関するものである。
【背景技術】
【０００２】
従来、ブローチを衣服に付けたり、またペンダントを首から下げたりしておしゃれが楽しまれている。昨今、ブローチは、図１６に示すように、普通、ブローチ本体Ｆの裏面に固着されたブローチ止め金具Ｇを使って衣服に付けられるようになっており、この様なブローチ止め金具Ｇは、ブローチ本体Ｆの裏面の一端に、針状の係止片１２の一端部を回動自在に軸支し、ブローチ本体Ｆの裏面の他端に、係止片１２の尖った先端を止める係止受体１３を設けて形成されている。
【０００３】
この係止受体１３は、図１７に示すように、一端側に山型の切り欠き部１３ａが入った円筒１３ｂの内側に、一端にフランジ部１４ａを設けた筒部１４を嵌め入れ、このフランジ部１４ａをつまんで、このフランジ部１４ａを移動させて（図１７の矢印方向）、筒部１４を係止受体１３の円筒１３ｂから出し入れして、係止片１２の針状の先端を筒部１４内に係止自在としている。
【０００４】
この様な中、ブローチをペンダントとして使用したいと思う場合もあり、その様な場合、図１８に示すような、ブローチ用止め金具の部品であるブローチ・ピン１９にチェーン等を通す通し孔２０を設け、ペンダントとして使用する時は、ブローチ・ピン１９に設けたこの通し孔２０にチェーン等を通し、当該ブローチ２２をチェーンに吊り下げて、ペンダントとして使用可能にしたというものがある。
【特許文献１】実開平６−９５１２号公報
【０００５】
また図１９に示すように、ペンダントトップ付きピンブローチ２３のペンダントトップ２４の背面側にはペンダントトップ２４の一部である背面板部２５にチェーン挿通部形成体２６を固定し、この背面板部２５とチェーン挿通部形成体２６の間にチェーン挿通部２７を形成し、この背面板部２５にピン挿通管２８を溶着し、このピン挿通管２８にピン２９を挿通し、ピン２９の一端部には略Ｕ字状のバネ部３０を一体形成し、このバネ部３０の先端には球状当接部３１を形成し、背面板部２５に球状当接部３１を付勢状態で当接する。そしてペンダントトップ２４として使用する時には、上記ピン２９を取り去り、上記チェーン挿通部２７に別途用意したチェーンを通し、首に吊り下げて使用するというものがある。
【特許文献２】実用新案登録第３０８７６３３号公報
【発明の開示】
【発明が解決しようとする課題】
【０００６】
しかしながら、上記前者の場合、チェーン等を通す通し孔２０が、ブローチ・ピン１９とピン開閉軸受け２１及びブローチ２２の間の狭い箇所に設けられており、加えてチェーン等を通す通し孔２０が、孔として塞がれたものであり、実際にチェーンを通す際、通し難く、加えてこの通し孔２０に通すことが出来るチェーンは、この通し孔２０の内径以下の幅のチェーンに限られる。
また後者の場合、ペンダントトップ２４として使用する際に必要なチェーン挿通部２７と、ブローチとして使用する際に必要なピン挿通管２８、ピン２９、バネ部３０、球状当接部３１等を夫々別個に設けなければ成らず、またペンダントトップ２４として使用する際、必ずピン２９を取り去らなければならず、手間がかかる。
【０００７】
この発明は、これらの点に鑑みて為されたもので、ブローチ止め金具の支持片と脚によって、開閉自在かつ鎖等が挿通し易い、ペンダント用の鎖挿通部を設けた、コンパクトな、ブローチ兼用ペンダント止め金具を提供するものである。
【課題を解決するための手段】
【０００８】
請求項１の発明は、ブローチ本体の一面の一端側の位置に、針状の係止片の後端を上下方向に回転自在に軸支し、当該ブローチ本体の一面の他端側の位置に当該係止片の先端を係止する係止受体を設け、衣服の一部に通した上記係止片を当該係止受体で係止して衣服に付けるブローチ兼用ペンダント止め金具において、上記ブローチ本体の一面の一端側に、先端を上記係止受体方向に略直角に折り曲げた細巾の支持片を設け、当該支持片の先端で、針状の係止片の後端を上下方向に回転自在に軸支し、当該係止片の軸支部付近から脚を上記ブローチ本体の一面に向けて突出させ、上記支持片とブローチ本体の一面の一端側によって囲まれた空間を鎖挿通部とし、当該支持片の鎖挿通部にペンダント用の鎖を通し、上記係止片の先端を、当該ブローチ本体の一面の他端側の位置に設けた係止受体で係止した際、当該係止片の脚の下端は、上記ブローチ本体の一面に当接又は近接して上記鎖挿通部が閉鎖されてペンダント用の鎖がこの鎖挿通部から外れない構成としたブローチ兼用ペンダント止め金具とした。
【０００９】
請求項２の発明は、上記支持片の後端を、当該支持片の折り曲げられた先端と略同じ方向に延伸して基板を構成し、当該基板と支持片によって上記鎖挿通部を形成し、上記係止片の軸支部付近から伸びた脚が上記基板面に当接又は近接して上記鎖挿通部を閉鎖する上記請求項１に記載のブローチ兼用ペンダント止め金具とした。
【００１０】
請求項３の発明は、ブローチ本体に取り付ける基板の一面の一端側の位置に、針状の係止片の後端を上下方向に回転自在に軸支し、上記基板の他端側の位置に当該係止片の先端を係止する係止受体を設け、衣服の一部に通した上記係止片を当該係止受体で係止して衣服に付けるブローチ兼用ペンダント止め金具において、上記基板の一面の一端縁の位置に、水平な基板を固定し、その基板の先端を側面弧状に折り曲げた支持片を設け、当該支持片の先端に、側面弧状の係止基片の一端を上下方向に回転自在に軸支して他端を上記支持片に当接自在に設け、当該支持片と係止基片とによって環状体を形成し、その内側空間を鎖挿通部とし、上記係止基片から上記係止受体に向けて針状の係止部を設け、上記鎖挿通部にペンダント用の鎖を通し、上記係止片の先端を上記係止受体で係止した際、当該鎖挿通部が上記係止基片によって閉鎖されて当該ペンダント用の鎖が当該鎖挿通部から外れない構成としたブローチ兼用ペンダント止め金具とした。
【００１１】
請求項４の発明は、上記支持片とブローチ本体の一面又は支持片の基板上によって形成された鎖挿通部を閉じる、上記係止片の軸支部付近から伸びた脚の下端が、上記ブローチ本体の一面上又は支持片の基板面上に当接又は近接する位置のブローチ本体の一面又は支持片の基板上に、当該脚の下端を係止するストッパーを設けた上記請求項１乃至３の何れかに記載のブローチ兼用ペンダント止め金具とした。
【発明の効果】
【００１２】
請求項１乃至４の各発明によれば、ブローチ兼用ペンダント止め金具の支持片とブローチ本体の一面の一端側又は基板によって、ペンダント用の鎖挿通部を設けたので、止め金具が必要以上に大きくならず、コンパクトに収められ、この鎖挿通部に通されたペンダント用の鎖は、いたずらに移動することがない。またペンダント用の鎖は、当該鎖の留め金の部分が鎖の部分の断面より大きくなっているのものが多いが、鎖挿通部を開閉自在に設けているので、狭い鎖挿通部であっても不都合無く、鎖挿通部内に鎖を通すことが出来る。さらに一手間かけて、バチ環やＤ環などを設ける必要が無いので、これらの結果、ブローチの針を長く取ることが出来、衣服に通す係止片を大きく取れて、衣服に確実に係止し易い。またペンダントとして首から下げた際でも安定して用いることが出来る。ましてこのペンダントの位置が逆さまになることは無く、安心しておしゃれを楽しむことが出来る。また針状の係止片がブローチ本体の一面と又は基板と略平行になった状態で外方から押された際、脚が動かず、係止片は反動で上方へ飛び上がるバネ効果を有する。従って、ブローチとして衣服に針状の係止片を刺す際、係止片先端が浮き上がり、刺し易い。
【００１３】
請求項２の発明によれば、上記支持片の後端を、当該支持片の折り曲げられた先端と略同じ方向に延伸して基板を構成し、この基板と支持片とによって上記鎖挿通部を形成し、上記係止片の軸支部付近から伸びた脚が上記基板面に当接又は近接して上記鎖挿通部を閉鎖するようにしたので、ブローチ本体の取り付け面に凹凸があっても、これらの凹凸と上記基板との間で僅かな当接面が確保できれば、取り付けることが出来る。それ故、このブローチ兼用ペンダント止め金具の汎用性を高め、使用範囲が大きく広がるものである。
【００１４】
請求項３の発明によれば、ブローチ本体の一面から支持片を横にずらして設けたので、例えばパールやビーズなどの宝石等を連続して繋げた隙間が狭いネックレスであっても、ブローチがパール等に当らず、隣接するパール等同士の間の細い紐を容易に挿通する事が出来、このブローチ兼用ペンダント止め金具を付けたブローチをネックレスに簡単に取り付けることが出来る。
【００１５】
請求項４の発明によれば、上記支持片とブローチ本体の一面又は支持片の基板上によって形成された鎖挿通部を閉じる、上記係止片の軸支部付近から伸びた脚の下端が、上記ブローチ本体の一面上又は支持片の基板面上に当接又は近接する位置のブローチ本体の一面又は支持片の基板上に、当該脚の下端を係止するストッパーを設けたので、針状の係止片がブローチ本体の一面等と略平行になった状態で外方から押されても、これ以上、脚及び係止片は回転せず、係止片先端が係止受体の下まで入らず、常に係止受体に係止し易い。さらにペンダントの鎖を鎖挿通部に挿通した後、確実にこの鎖挿通部を閉鎖できるので、このペンダントの鎖が鎖挿通部から外れることが無く、このブローチ兼用ペンダント止め金具への信頼性を大きく高めることが出来るものである。
【発明を実施するための最良の形態】
【００１６】
先端を略直角に折り曲げた支持片を設け、この支持片の先端で、針状の係止片の後端を上下方向に回転自在に軸支し、この係止片の軸支部付近から脚を略直角に突出させ、上記支持片及びブローチ本体の一面によって囲まれた空間を鎖挿通部とし、この支持片の後端をブローチ本体の裏面に取り付け、この支持片の鎖挿通部にペンダント用の鎖を通し、上記係止片の先端を、ブローチ本体に設けた係止受体で係止した際、この係止片の軸支部付近から伸びた脚の下端は、ブローチ本体の裏面上に当接又は近接して上記鎖挿通部が閉鎖されてペンダント用の鎖がこの鎖挿通部から外れない。
【実施例１】
【００１７】
以下この発明の実施例１を図に基づいて説明する。
図２は、この発明の実施例１のブローチ兼用ペンダント止め金具（以下「兼用止め金具」という）Ａの特徴とする箇所を示す。この兼用止め金具Ａは、細巾の支持片２１の先端を略直角に折り曲げて設けている。そしてこの支持片２１の先端で、全体の形状が略Ｌ形状で、先端が針状の係止片３をその屈曲部で上下方向に回転自在に軸支し、この係止片３の軸支部３ａから下方に伸びた後端を脚３ｂとして設けている。
【００１８】
この様な支持片２１の後端をブローチ本体１の裏面の一端側の位置に固着してこの支持片２１を立設する。これにより上記支持片２１及びブローチ本体１の裏面によって囲まれた空間を鎖挿通部４としている。そして上記係止片３の先端（自由端）を上記係止受体１３（図１参照）で係止した際、脚３ｂは、その下端がブローチ本体１の裏面上に当接又は近接するように設けられており、その結果この脚３ｂは、上記鎖挿通部４の開口部を閉鎖するように成っている。
【００１９】
そして係止受体１３に係止された上記係止片３の自由端を係止受体１３から外し、図３に示すように、上記係止片３を上方に上げると脚３ｂはこれに伴って回転し、上記鎖挿通部４の開口部を開いて、この鎖挿通部４内にペンダント用の環状に設けられた鎖５を通す。その後、図１に示すように、係止片３を下方に下げてその自由端を上記係止受体１３に係止すると、脚３ｂは上記鎖挿通部４の開口部を閉鎖するためペンダントの鎖５はこの鎖挿通部４から外れないようになっている。
【００２０】
この様に兼用止め金具Ａをブローチ本体１の裏面に取り付けるブローチ止め金具として使用すれば、ブローチとしての使用に加えて、容易にペンダントとしても使用することが出来る。しかもその際、鎖５は、閉鎖された狭い鎖挿通部４に挿通されているため、鎖５の位置が大きくずれたりしない。
【００２１】
以下に、この発明の実施例２乃至５を図に基づいて説明する。
ここでは、上記実施例１と重複する構成については、その説明を省略し、上記実施例１と異なる、つまりこれらの実施例の特徴とする構成についてのみ説明する。
【実施例２】
【００２２】
実施例２の兼用止め金具Ｂは、図４及び図５に示すように、上記支持片２１の後端を、この支持片２１の折り曲げられた先端と略同じ方向に伸ばして基板２ａとして設け、支持片２１の先端とこの基板２ａとによって鎖挿通部４を形成し、係止片３の軸支部３ａ付近から伸びた脚３ｂがこの基板２ａ上に当接して鎖挿通部４を閉鎖するように設けている。ここでのブローチ本体１の裏面は、一定の平坦面ではなく、凹凸面から成るものであり、この凹凸面に上記支持片２１の基板２ａを固着する。
【００２３】
そして上記実施例１や実施例２の場合、係止片３を上から押しても脚３ｂがあるため、係止片３の先端は、係止受体１３の下方へ行かないが、図６に示すように、係止片３を上から強く押すと係止片３の先端が係止受体１３より下の位置まで行き、係止片３と一体に設けられた脚３ｂも回転して鎖挿通部４の内側まで回転してしまうことがある。この様な場合、係止片３と脚３ｂとが一体となっているため、係止片３を持ち上げても脚３ｂがブローチ本体１の面や基板２ａに当り、この状態を正常な状態に戻すのに手間がかかる。
【実施例３】
【００２４】
そこで、この様な状態を防ぐものとして、実施例３の兼用止め金具Ｃを以下に示す。
実施例３の兼用止め金具Ｃは、図７及び図８に示すように、上記支持片２１と基板２ａによって形成された鎖挿通部４の開口部を閉じる脚３ｂの下端の上記基板２ａ上に、平面略Ｕ字型のストッパー２ｂを設けている。このストッパー２ｂを設けたことにより、脚３ｂの下端が回転して鎖挿通部４の内側まで回転しようとしてもこのストッパー２ｂに係止されて止まる。これは、上記実施例１の支持片２１がブローチ本体１の裏面に設けられている場合も同様に、このブローチ本体１の裏面上にストッパー２ｂを設けることが出来る。
【００２５】
またこの平面略Ｕ字型のストッパー２ｂに代えて、図９及び図１０に示すように、基板２ａの、係止受体１３に対向する側の端縁に平面略Ｕ字型の凹部２ｃを設け、脚３ｂがこの凹部２ｃに係止されるようにしても良い。さらにこれらに代えて、図１１に示すように、基板２ａの係止受体１３に対向する側の端縁の中央部に段部２ｄを設け、脚３ｂがこの段部２ｄに係止されるようにしても良い。
【実施例４】
【００２６】
さらに実施例４の兼用止め金具Ｄとして、図１２に示すように、上記ブローチ本体１の裏面の一端縁の位置において、水平方向に突出させ段付基板２ｅを形成した後、側面略円弧状に折り曲げた支持片２２を設け、この支持片２２の先端で、略Ｌ形状の係止片３の後端を上下方向に回転自在に軸支し、この係止片３の軸支部３ａから脚３ｂを段付基板２ｅ上に向けて突出させて設けている。
【００２７】
この係止片３をブローチ本体１の裏面と略平行に位置させてその先端（自由端）を上記係止受体１３で係止した際、脚３ｂは、その下端が上記段付基板２ｅ上に当接又は近接するように設けられており、その結果この脚３ｂは、上記側面略円弧状に折り曲げた細巾の支持片２２によって形成される空間から成る鎖挿通部４ａの開口部を閉鎖するように成っているのは、上記実施例と同様である。
【００２８】
この発明の鎖挿通部４ａに大径のパールＨやビーズを連続して繋げて成るネックレスを通すことがある。これを上記のようにブローチ本体１の裏面上に支持片２１が設けられ、ブローチ本体１の裏面上に鎖挿通部４がある場合、上記パールＨの外径が鎖挿通部４の内径より大きいと、ブローチ本体１の裏面にパールＨが当って、二つのパールＨの間の紐Ｉの部分を鎖挿通部４に入れられない。
しかし、この実施例４の兼用止め金具Ｄでは、上記の様に支持片２２を水平方向に突出させた後、側面略円弧状に折り曲げて設けたので、例えばパールＨやビーズなどを連続して繋げて成るネックレスを鎖挿通部４ａに挿入する場合でも、隣接したパールＨがブローチ本体１に当らず、鎖挿通部４ａに挿入し易く、また、隣接するパールＨ同士の間の紐Ｉの部分を、脚３ｂを上げて、この兼用止め金具Ｄの支持片２２の略円弧状の鎖挿通部４ａ内に嵌め入れられ、図１３に示すように、容易にブローチ本体１を上記ネックレスに取り付けることが出来る。
【実施例５】
【００２９】
さらに実施例５の兼用止め金具Ｅとして、図１４に示すように、上記ブローチ本体１の裏面上の一端縁の位置に、水平な基板２ｆを固定し、その基板２ｆの先端を側面半円弧状に折り曲げた支持片２３を設け、この支持片２３の先端に、側面略半円弧状の係止基片３ｃの一端を上下方向に回転自在に軸支し、その他端を支持片２３に当接自在に設け、これらの支持片２３と係止基片３ｃとによって環状体を形成し、その内側空間を円形の鎖挿通部４ａとする。そして上記係止基片３ｃの先端部付近から上記係止受体に向けて針状の係止片３を延ばしている。
【００３０】
従ってこの係止基片３ｃの自由端は、上記実施例における脚３ｂと同様の働きをするものである。この係止片３の自由端を持ち上げると係止基片３ｃは、支持片２３の先端の軸支部を中心に回転し、係止基片３ｃの自由端は支持片２３から離れ、鎖挿通部４ａが開いてペンダント用の鎖５を鎖挿通部４ａ内に通す。そして係止片３の先端を上記係止受体で係止した際、上記係止基片３ｃの自由端は支持片２３に当接し、この鎖挿通部４ａが閉鎖されてこのペンダント用の鎖５がこの鎖挿通部４ａから外れない構成とした。
【００３１】
この実施例５の兼用止め金具Ｅにおいても、上記兼用止め金具Ｄと同様に、パール等を連続して繋げて成るネックレスを鎖挿通部４ａに挿入する場合でも、隣接したパールＨがブローチ本体１の裏面に当らず、鎖挿通部４ａに挿入し易く、容易にブローチ本体１を上記ネックレスに取り付けることが出来る。これは、上記実施例４及び５の鎖挿通部４ａをブローチ本体１から横にずらして設けているためネックレスの鎖等を鎖挿通部４ａ内に入れ易くしたものである。さらに実施例５では、鎖挿通部４ａが弧状の支持片２３と係止基片３ｃとによって形成されているため、係止基片３ｃを開けるとその開口部が大きく開き、鎖等をより挿入し易い。
【００３２】
上記実施の形態例においては、兼用止め金具Ａ、Ｂ、Ｃ及びＤの係止受体１３の構成として、従来技術の欄に記載した係止受体１３を使用しているが、この係止受体１３の構成は、この発明の必須要件ではない。またこの発明は、止め金具に関するものであるが、支持片２１等の材質は、金属に限定するものではなく、金属の他適宜の材料から成るものである。また兼用止め金具Ｃの脚３ｂを係止する係止片は、ストッパー２ｂ、凹部２ｃ、段部２ｄに限定するものではない。
【図面の簡単な説明】
【００３３】
【図１】この発明の実施例１の兼用止め金具にペンダント用の鎖を通した状態の一部側面図である。
【図２】この発明の実施例１の兼用止め金具の一部側明図である。
【図３】この発明の実施例１の兼用止め金具の針状の係止片を開放した状態の一部側明図である。
【図４】この発明の実施例２の兼用止め金具の鎖挿通部にペンダント用の鎖を通した状態の一部側面図である。
【図５】この発明の実施例２の兼用止め金具をブローチ本体に取り付けた状態の一部側面図である。
【図６】この発明の実施例２の兼用止め金具の針状の係止片の先端が係止受体の位置より下に回動した状態を示す側面図である。
【図７】この発明の実施例３の兼用止め金具の基板上にストッパーを設け、このストッパーに脚を係止した状態を示す側面図である。
【図８】この発明の実施例３の兼用止め金具の基板上にストッパーを設け、このストッパーに脚を係止した状態を示す一部平面図である。
【図９】この発明の実施例３の兼用止め金具の基板上に凹部を設け、この凹部に脚を係止した状態を示す側面図である。
【図１０】この発明の実施例３の兼用止め金具の基板上に凹部を設け、この凹部に脚を係止した状態を示す平面図である。
【図１１】この発明の実施例３の兼用止め金具の基板上に段部を設け、この段部に脚を係止した状態を示す側面図である。
【図１２】この発明の実施例４の兼用止め金具の鎖挿通部にパールを繋げて成るネックレスの紐を通した状態を示す一部側面図である。
【図１３】この発明の実施例４の兼用止め金具を取り付けたブローチをパールを繋げて成るネックレスに取り付けた状態を示す正面図である。
【図１４】この発明の実施例５の兼用止め金具の一部側面図である。
【図１５】この発明の実施例５の兼用止め金具の係止片及び係止基片を開いた状態の一部側面図である。
【図１６】従来のブローチにブローチ止め金具を取り付けている状態の側面図である。
【図１７】従来のブローチ止め金具の針状の係止片の先端を、係止受体において係止自在とした構成を示す平面図である。
【図１８】実開平６−９５１２号公報に記載されたブローチ・ピンの構成を示す側面図である。
【図１９】実用新案登録第３０８７６３３号公報に記載されたペンダントトップ付きピンブローチの構成を示す側面図である。
【符号の説明】
【００３４】
Ａ    ブローチ兼用ペンダント止め金具  
１    ブローチ本体
２１   略直角に折り曲げた細巾の支持片
３    係止片
３ｂ  脚
４    鎖挿通部
５    ペンダントの鎖
Ｂ    ブローチ兼用ペンダント止め金具
２ａ  基板
Ｃ    ブローチ兼用ペンダント止め金具
２ｂ  ストッパー
２ｃ  凹部
２ｄ  段部
Ｄ    ブローチ兼用ペンダント止め金具
２２  支持片
２ｅ  段付基板
４ａ  鎖挿通部
Ｅ    ブローチ兼用ペンダント止め金具
２３  支持片
３ｃ  係止基片
【要約】
【課題】ブローチ止め金具の支持片と脚によって、開閉自在かつ鎖等が挿通し易い、ペンダント用の鎖挿通部を設けた、コンパクトな、ブローチ兼用ペンダント止め金具を提供する。
【解決手段】ブローチ本体１の一面の一端側に、先端を係止受体１３方向に略直角に折り曲げた細巾の支持片２１を設け、支持片２１の先端で、針状の係止片３の後端を上下方向に回転自在に軸支し、係止片３の軸支部３ａ付近から脚３ｂをブローチ本体１の一面に向けて突出させ、支持片２１とブローチ本体１の一面の一端側によって囲まれた空間を鎖挿通部４とし、支持片２１の鎖挿通部４にペンダント用の鎖５を通し、係止片３の先端をブローチ本体１の一面の他端側の位置に設けた係止受体１３で係止した際、係止片３の脚３ｂの下端は、ブローチ本体１の一面に当接して鎖挿通部４が閉鎖されてペンダント用の鎖５がこの鎖挿通部４から外れない構成とした。
【選択図】図１
【図１】
0003541036.tif 000002
【図２】
0003541036.tif 000003
【図３】
0003541036.tif 000004
【図４】
0003541036.tif 000005
【図５】
0003541036.tif 000006
【図６】
0003541036.tif 000007
【図７】
0003541036.tif 000008
【図８】
0003541036.tif 000009
【図９】
0003541036.tif 000010
【図１０】
0003541036.tif 000011
【図１１】
0003541036.tif 000012
【図１２】
0003541036.tif 000013
【図１３】
0003541036.tif 000014
【図１４】
0003541036.tif 000015
【図１５】
0003541036.tif 000016
【図１６】
0003541036.tif 000017
【図１７】
0003541036.tif 000018
【図１８】
0003541036.tif 000019
【図１９】
0003541036.tif 000020